(57)【要約】雌ねじ構造１は、強力な結合力を容易な締結作業で得られるようにするものであり、図５に示すように、対を成す第一の雌ねじ２と第二の雌ねじ３を備え、第一の雌ねじ２は一端に基端２ｃから先端２ｄにかけて縮径し内部に第一の雌ねじ２の螺旋溝と一連の螺旋溝が形成され外周面に係合部２ｇが設けられた凸部２ｂを有し、第二の雌ねじ３は一端に開口端３ｄから底面３ｃにかけて縮径し内部に第二の雌ねじ３の螺旋溝付き穴３ｅに連通した貫通穴が形成され内周面に係合受部３ｇが設けられた凹部３ｂを有し、第一の雌ねじ２と第二の雌ねじ３を雄ねじＢ上において螺合しながら凸部２ｂを凹部３ｂに嵌入させつつ、係合部２ｇと係合受部３ｇとを係合させることによって第一の雌ねじ２と第二の雌ねじ３の少なくとも一方向の相対回転を防止するように結合させ得るように構成される。
2012102401.tif 000002
【特許請求の範囲】
【請求項１】
対を成す第一の雌ねじと第二の雌ねじとを備え、
上記第一の雌ねじの一端は、基端から先端にかけて縮径した凸部を有し、上記第二の雌ねじの一端は、底部から開口部にかけて拡径した凹部を有し、
上記凸部と上記凹部のうち少なくとも一方の周面には、係合部が一つ以上設けられ、他方の周面には上記係合部が係合される係合受部が一つ以上設けられることを特徴とする雌ねじ構造。
【請求項２】
前記凸部と前記凹部とは、前記凸部と前記凹部のうち少なくとも一方を弾性的又は塑性的に変形させて互いに嵌合させるように構成されることを特徴とする請求項１に記載の雌ねじ構造。
【請求項３】
前記凸部の縦断面の外形を成す輪郭形状と、これに対応した前記凹部の縦断面の内形を成す輪郭形状とが互いに異なることを特徴とする請求項１又は２に記載の雌ねじ構造。
【請求項４】
前記凸部の縦断面の外形を成す輪郭形状と、これに対応した前記凹部の縦断面の内形を成す輪郭形状とが同様に設定されることを特徴とする請求項１又は２に記載の雌ねじ構造。
【請求項５】
基端から先端にかけて縮径した前記凸部の外周面の軸方向に対する傾斜角と、開口面から底面にかけて縮径した前記凹部の内周面の軸方向に対する傾斜角とが、互いに異なることを特徴とする請求項１乃至４の何れかに記載の雌ねじ構造。
【請求項６】
基端から先端にかけて縮径した前記凸部の外周面の軸方向に対する傾斜角に対し、開口面から底面にかけて縮径した前記凹部の内周面の軸方向に対する傾斜角が小さく設定されることを特徴とする請求項１乃至５の何れかに記載の雌ねじ構造。
【請求項７】
前記凸部の基端部の外径が、前記凹部の開口部の内径よりも大きく設定されることを特徴とする請求項１乃至６の何れかに記載の雌ねじ構造。
【請求項８】
前記係合部は、鋸歯状に形成されることを特徴とする請求項１乃至７の何れかに記載の雌ねじ構造。
【請求項９】
前記係合受部は、鋸歯状に形成されることを特徴とする請求項１乃至８の何れかに記載の雌ねじ構造。
【請求項１０】
前記係合部の設定数量と、前記係合受部の設定数量とが、同等であることを特徴とする請求項１乃至９の何れかに記載の雌ねじ構造。
【請求項１１】
前記係合部の設定数量と、前記係合受部の設定数量とが、異なることを特徴とする請求項１乃至９の何れかに記載の雌ねじ構造。
【請求項１２】
前記第一の雌ねじの螺旋溝と前記第二の雌ねじの螺旋溝とが、互いに異なるものであることを特徴とする請求項１乃至１１の何れかに記載の雌ねじ構造。
【請求項１３】
前記第一の雌ねじの前記螺旋溝のピッチと前記第二の雌ねじの前記螺旋溝のピッチとが、互いに異なることを特徴とする請求項１乃至１２の何れかに記載の雌ねじ構造。
【請求項１４】
前記第一の雌ねじの前記螺旋溝と前記第二の雌ねじの前記螺旋溝のうち、一方が右回転の螺旋溝を成し、他方が左回転の螺旋溝を成すことを特徴とする請求項１乃至１３の何れかに記載の雌ねじ構造。
【請求項１５】
前記第一の雌ねじと前記第二の雌ねじの外径を異なるものに設定することを特徴とする請求項１乃至１４の何れかに記載の雌ねじ構造。
【発明の詳細な説明】
【技術分野】
【０００１】
本発明は、二つの雌ねじ同士を互いに結合させ得る雌ねじ構造に関する。
【背景技術】
【０００２】
所謂緩み止めと称す類のねじは、多様な物が提案されている。しかしながらそれらは緩みを完全に防止する物ではなく、緩みの進行速度を遅らせることが出来るという物でありいわば緩み難いねじと分類される。この問題に鑑み、機械構造的に緩みを防止するように工夫し、完全な緩み防止を可能としたねじ構造を特許文献１に開示している。【０００３】
特に特許文献１に記載のねじ構造のうち、所謂ラチェット型の雌ねじ構造においては、対を成す二つの雌ねじ同士を、雄ねじ上の所要位置で互いに結合させると完全な結合状態を実現することが可能である。
【先行技術文献】
【特許文献】
【０００４】
【特許文献１】ＰＣＴ／ＪＰ２００９／０５３０９２
【発明の概要】
【発明が解決しようとする課題】
【０００５】
斯かる特許文献１の図２３，２４等に記載の雌ねじは、互いに対向する両雌ねじのそれぞれの端面に形成されるラチェット構造部分が、それぞれ当該端面に対してほぼ垂直に凸設又は凹設された構造であり、一方のラチェットの谷部に他方のラチェットの山部が入り込む位置と当該雌ねじの締め付け量との関係上、適正な締め付けがなされていないと、当該ラチェットの山部の位置が、最大で、ラチェットにおける一ピッチ分だけずれる可能性があった。【０００６】
この一ピッチ分の回転位置ズレによってもたらされる軸方向の位置ズレ量は、ねじピッチを１．０ｍｍ、ラチェットピッチを１０°と仮定すれば、最大で約０．０２８ｍｍであり、ねじの精度や使途によっては公差の範囲内に収まり、或いは締結力による軸方向の弾性変形量に吸収され、実際には位置ズレや軸力変化を来すものではないということになるが、ねじピッチやラチェットピッチが大きくなればその分、軸方向における位置ズレ量も比例的に大きくなる。例えば、ねじピッチを３ｍｍ、ラチェットピッチを１２０°に設定した場合の軸方向における位置ズレ量は、最大で１ｍｍとなる。【０００７】
ところで、この位置ズレを起こさないように締結するには、完全に締まっている位置からラチェットピッチにおいて、もう一ピッチ分だけ締め付けるようにすればよいが完全締結位置からのもう一ピッチ分の締め付け作業は困難となる。【０００８】
本発明は、上述のような事情を解消するためのものであり、対を成す雌ねじ同士の結合状態が適当な締め付けトルクで容易に得られ、完全な締結状態を簡便に得ることが可能な雌ねじ構造を提供することを目的とする。
【課題を解決するための手段】
【０００９】
本発明の雌ねじ構造は、対を成す第一の雌ねじと第二の雌ねじとを備え、第一の雌ねじの一端は、基端から先端にかけて縮径した凸部を有し、第二の雌ねじの一端は、底部から開口部にかけて拡径した凹部を有し、凸部と上記凹部のうち少なくとも一方の周面には、係合部が一つ以上設けられ、他方の周面には係合部が係合される係合受部が一つ以上設けられることを特徴としている。【００１０】
凸部と凹部とは、凸部と凹部のうち少なくとも一方を弾性的又は塑性的に変形させて互いに嵌合させるように構成されることを特徴としている。【００１１】
凸部の縦断面の外形を成す輪郭形状と、これに対応した凹部の縦断面の内形を成す輪郭形状とが互いに異なることを特徴としている。【００１２】
凸部の縦断面の外形を成す輪郭形状と、これに対応した凹部の縦断面の内形を成す輪郭形状とが同様に設定されることを特徴としている。【００１３】
基端から先端にかけて縮径した凸部の外周面の軸方向に対する傾斜角と、開口面から底面にかけて縮径した凹部の内周面の軸方向に対する傾斜角とが、互いに異なることを特徴としている。【００１４】
基端から先端にかけて縮径した凸部の外周面の軸方向に対する傾斜角に対し、開口面から底面にかけて縮径した凹部の内周面の軸方向に対する傾斜角が小さく設定されることを特徴としている。【００１５】
凸部の基端部の外径が、凹部の開口部の内径よりも大きく設定されることを特徴としている。【００１６】
係合部は、鋸歯状に形成されることを特徴としている。【００１７】
係合受部は、鋸歯状に形成されることを特徴としている。【００１８】
係合部の設定数量と、係合受部の設定数量とが、同等であることを特徴としている。【００１９】
係合部の設定数量と、係合受部の設定数量とが、異なることを特徴としている。【００２０】
第一の雌ねじの螺旋溝と第二の雌ねじの螺旋溝とが、互いに異なるものであることを特徴としている。【００２１】
第一の雌ねじの螺旋溝のピッチと第二の雌ねじの螺旋溝のピッチとが、互いに異なることを特徴としている。【００２２】
第一の雌ねじの螺旋溝と第二の雌ねじの螺旋溝のうち、一方が右回転の螺旋溝を成し、他方が左回転の螺旋溝を成すことを特徴としている。【００２３】
第一の雌ねじと第二の雌ねじの外径を異なるものに設定することを特徴としている。
【発明の効果】
【００２４】
本発明を適用して成る雌ねじ構造によれば、第一の雌ねじの一端に設けられ基端から先端にかけて縮径しその外周面に係合部を有する凸部が、第二の雌ねじの一端に設けられ開口面から底面にかけて縮径しその内周面に係合受部を有する凹部に嵌合されてこれら第一の雌ねじと第二の雌ねじとが雄ねじ上において互いに結合されるように構成されていることにより、これら第一の雌ねじと第二の雌ねじとが互いに接近してより深く凹部に対して凸部が嵌入する際に、第一の雌ねじと第二の雌ねじの相対回転と共に徐々により強い結合状態にすることが出来、その上、容易に係合部を係合受部に係合させることが可能であって、この係合状態では第一の雌ねじと第二の雌ねじとの間での相対的な逆回転を完全に防止することが出来る。また、係合部と係合受部との一係合位置から第一の雌ねじと第二の雌ねじの相対回転による更なる結合状態となる次段の係合位置への移行が著しく容易となる。【００２５】
また、第一の雌ねじの螺旋溝と第二の雌ねじの螺旋溝とを互いに異なるものとした場合、特に第一の雌ねじの螺旋溝のピッチと第二の雌ねじの螺旋溝のピッチとを互いに異なるものとし且つ第一の雌ねじと第二の雌ねじが互いに接近する相対回転方向に対しては回転が許容され、この逆回転に対しては回転が防止されるように、係合部と係合受部を共に対応する鋸歯状に設定したラチェット構造とした場合には、第一の雌ねじと第二の雌ねじとの間での相対的な逆回転を完全に防止することが出来るので、雄ねじ上の所要位置においては完全に緩みを防止することが容易に出来る。また、第一の雌ねじの螺旋溝と第二の雌ねじの螺旋溝のうち一方を右ねじに、他方を左ねじに設定し且つ第一の雌ねじと第二の雌ねじが互いに接近する相対回転方向に対しては回転が許容され、この逆回転に対しては回転が防止されるように、係合部と係合受部を共に対応する鋸歯状に設定したラチェット構造とした場合には、第一の雌ねじと第二の雌ねじとの間での相対的な逆回転を完全に防止することが出来るので、雄ねじ上の所要位置においては完全に緩みを防止することが容易に出来る。【００２６】
また、凸部を先端に向かって縮径させ、凹部を開口面に向かって拡径させたことにより鍛造を用いた製造においての金型の保ちや抜けが向上し、量産性が向上する。
【図面の簡単な説明】
【００２７】
【図１】（Ａ）は本発明の一実施例の第一の雌ねじと第二の雌ねじとを結合した状態を示す側面図であり、（Ｂ）は底面図である。
【図２】（Ａ）は図１に示す第一の雌ねじの平面図であり、（Ｂ）は側面視の部分断面図である。
【図３】図２に示す第一の雌ねじの変形例の平面図である。
【図４】（Ａ）は図１に示す第二の雌ねじの縦断面図であり、（Ｂ）は底面図である。
【図５】図１に示す第一の雌ねじの凸部と第二の雌ねじと凹部とを嵌合している状態を示す簡略断面図である。
【図６】本実施例の雌ねじ構造を雄ねじに螺合し、この雄ねじ上において第一の雌ねじと第二の雌ねじとを結合させている状態を示す模式図である。
【発明を実施するための形態】
【００２８】
以下に本発明の雌ねじ構造の実施形態を詳細に説明する。本発明の雌ねじ構造は、対を成す第一の雌ねじと第二の雌ねじとを備える。勿論、ここでいう雌ねじとは、所謂ナットのように被締結体を所謂ボルト等の雄ねじ体との合わせで締結するような締結部材の他、被締結体自体に穿設された螺旋溝付き穴等も含むものである。
【００２９】
第一の雌ねじは、その軸方向における一端側に、基端から先端にかけて縮径した凸部を有する。第二の雌ねじは、その軸方向における一端側に、端面から凹設され、その開口面から底面にかけて縮径した凹部を有する。この凸部と凹部は、互いに嵌合して、これら第一の雌ねじと第二の雌ねじとを互いに結合させるためのものである。
【００３０】
凸部と凹部の何れか一方は、凸部を凹部に嵌合する際に、弾性的又は塑性的に変形させて嵌入させるように構成することが出来、特に弾性変形させながら嵌合するように構成した場合には、完全な緩み止め状態を得るのが容易となる。このように変形を伴う嵌合とするための構成としては、例えば、凸部の縦断面の外形を成す輪郭形状と、これに対応した凹部の縦断面の内形を成す輪郭形状とが互いに異なるように設定する。より具体的には、例えば、基端から先端にかけて縮径した凸部の外周面の軸方向に対する傾斜角と、開口面から底面にかけて縮径した凹部の内周面の軸方向に対する傾斜角とが、互いに異なるように設定することでも達成し得る。この場合、基端から先端にかけて縮径した凸部の外周面の軸方向に対する傾斜角に対し、開口面から底面にかけて縮径した凹部の内周面の軸方向に対する傾斜角を小さく設定することで、凹部に対する凸部の嵌入を徐々に進める際に自ずと凸部に対する凹部による締め付けが増大し次第に弾性変形を伴うようにすることが可能となる。更に、凸部の基端部の外径を、凹部の開口部の内径よりも大きく設定することで、より確実に弾性変形を伴うようにすることが出来る。
【００３１】
凸部の外周面には、適宜数量の係合部が適宜位置に設けられる。この係合部は、凹部の内周面に設けられる係合受部に係合して第一の雌ねじと第二の雌ねじの相対的回転を機械構造的に防止するためのものである。この係合部の形状は特に限定されるものではないが、例えば、鋸歯状に形成することが出来る。この場合、第一の雌ねじと第二の雌ねじの相対的な一回転方向を許容し、その逆回転を防止するように設定するのが好ましく、係合受部に対する係合部の設定数量を同等とすれば、正転や逆転により大きなトルクを必要とするようになり、より強固にすることが可能であって、或いはこの設定数量を互いに異なるものとすれば、係合ピッチを細かく設定しつつも正転や逆転に要するトルクをより小さなものとすることが出来るようになる。
【００３２】
凹部の内周面には、適宜数量の係合受部が適宜位置に設けられる。この係合受部は、凸部の外周面に設けられる係合部に係合して第一の雌ねじと第二の雌ねじの相対的回転を機械構造的に防止するためのものである。この係合受部の形状は特に限定されるものではないが、例えば、鋸歯状に形成することが出来る。この場合、第一の雌ねじと第二の雌ねじの相対的な一回転方向を許容し、その逆回転を防止するように設定するのが好ましく、係合受部に対する係合部の設定数量を同等とすれば、正転や逆転により大きなトルクを必要とするようになり、より強固にすることが可能であって、或いはこの設定数量を互いに異なるものとすれば、係合ピッチを細かく設定しつつも正転や逆転に要するトルクをより小さなものとすることが出来るようになる。
【００３３】
第一の雌ねじの螺旋溝は、適宜の寸法や構成とすることが可能であるが、ねじ締結体として緩み止め効果を得る上では、第一の雌ねじの螺旋溝と第二の雌ねじの螺旋溝とを、互いに異なるものに設定することが好ましく、例えば、第一の雌ねじの螺旋溝のピッチと第二の雌ねじの螺旋溝のピッチとが互いに異なるように設定することや、或いは、第一の雌ねじの螺旋溝と第二の雌ねじの螺旋溝のうち、一方が右回転の螺旋溝を成し、他方が左回転の螺旋溝を成すように設定することも可能である。勿論、第一の雌ねじの螺旋溝と第二の雌ねじの螺旋溝のうち、一方を右ねじとし、他方を左ねじとしつつ、これら右ねじのピッチと左ねじのピッチとを互いに異なるように設定することも可能である。これらのように、第一の雌ねじの螺旋溝と第二の雌ねじの螺旋溝とを互いに異なるように、即ち、ねじピッチが異なることやねじ向きが異なるという設定をすることにより、緩み方向の回転そのものを完全に防止することが出来る。つまり、凸部と凹部との嵌合関係による第一の雌ねじと第二の雌ねじとが離反する方向の相対回転を防止出来たとしても、これだけでは、一体に結合されたこれら二つの雌ねじ同士が、一体的に、緩み方向に回転し得るということがあるが、これを完全に無くすことが可能となるといえる。但し、同方向のねじ向きの第一の雌ねじと第二の雌ねじとにおいて、ねじピッチを異なるものに設定する場合には、雄ねじの先端側に比較上の細かいピッチの雌ねじ体を位置させることが望ましい。
【００３４】
また、第一の雌ねじと第二の雌ねじとを、それぞれナット状に構成しつつ、それらの外径を互いに異なるように設定することが出来る。勿論、これらの雌ねじの外径は同等に設定することも可能であるが、異なる設定とすることにより、締結用工具等を使用して締結する際に、締結作業をより容易にすることが可能となる。
【実施例１】
【００３５】
本発明を適用して成る実施例の雌ねじ構造１について添付図面を参照しながら詳細に説明する。本実施例の雌ねじ構造１は、図１に示すように、対を成す第一の雌ねじ２と第二の雌ねじ３の二つの雌ねじを備えて構成され、雄ねじＢ上においてより小さなトルクで第一の雌ねじ２と第二の雌ねじ３とを機械構造的により強固に結合させ得、これらの雌ねじ同士の相対的な一回転方向の回転を防止するためのものである。また、雄ねじＢ上の所要の螺合位置においては、緩み方向の回転を機械構造的に防止しすることで完全な緩み止め状態を得るためのものである。【００３６】
図１に示すように、本実施例の第一の雌ねじ２と第二の雌ねじ３は、それぞれ略正六角筒状を成す外形部２ａ，３ａを有する所謂六角ナット状に形成され、第一の雌ねじ２の外形部２ａの最大外径が第二の雌ねじ３の外形部３ａの最小外径の寸法値以下に設定されている。また、第一の雌ねじ２の外形部２ａの軸方向長は、第二の雌ねじ３の外形部３ａの軸方向長よりも短く設定されている。勿論、これらのような外径や軸方向長等の寸法の設定は任意であり、例えば、外径寸法の大小関係は第一の雌ねじ２の外径を小さめに設定しなければならないというものではなく、第二の雌ねじ３の外径を小さめに設定することも可能であり、第二の雌ねじ３の軸方向長を短めに設定することも可能である。【００３７】
図２に示すように、第一の雌ねじ２は、略正六角形状に形成された外形部２ａの軸方向における一端部に凸設された凸部２ｂを有する。この凸部２ｂは、基端２ｃから先端３ｄにかけて縮径し、第一の雌ねじ２の軸を中心として回転対称に形成され、その内部は、外形部２ａの内部に貫穿された螺旋溝付き穴２ｅであるねじ部２ｆが連続的に延設されて構成されている。勿論、この凸部２ｂの内部にはねじ部２ｆが形成されていなければならないというものではなく、雄ねじＢが挿通し得るように貫通穴を有すればよいが、強度向上の観点から外形部２ａの内部に設けられるねじ部２ｆと一連にねじ部が設定されることが好ましい。また、本実施例における第一の雌ねじ２のねじ部２ｆは、左回転の螺旋溝、即ち、左ねじとして設けられている。【００３８】
凸部２ｂの外周面は、軸方向に対して適宜の角度傾斜した傾斜角αに設定されて基端２ｃから先端２ｄにかけて縮径している。凸部２ｂの外周面には、鋸歯状に形成された係合部２ｇが等ピッチで十八箇所に設けられているが、この係合部２ｇの設定数量は少なくとも一つ設けられていればよく、特に限定されるものではなく、例えば、図３に示すように、１２０°の回転対称部位にそれぞれ一つずつ合計三つの係合部２ｇを設定してもよい。勿論、必ずしも回転対称である必要はない。この係合部２ｇの鋸歯形状は、凹部３ｂに対する嵌入時、左回転の進行方向において回転が許容され、逆回転が防止されるように歯の方向が設定される。歯幅は、基端２ｃ側で広く、先端２ｄに向かって狭まるように設定されている。勿論、係合部２ｇの形状も特に限定されるものではなく、例えば、多条ねじのようにスパイラル状に形成されたものであってもよい。特に、スパイラル状の係合部２ｇとする場合には、スパイラルの回転向きをねじ部２ｆの回転向きに対して逆向きに設定すれば、雌ねじ同士の結合性をより一層高めることが出来る。【００３９】
図４に示すように、第二の雌ねじ３は、略正六角形状に形成された外形部３ａの軸方向における一端部に凹設された凹部３ｂを有する。この凹部３ｂは、底面３ｃから開口端３ｄにかけて拡径し、第二の雌ねじ３の軸を中心として回転対称に形成され、その内部は、外形部３ａの内部に貫穿された螺旋溝付き穴３ｅに連通して貫通し、雄ねじＢを挿通し得るように構成されている。また、本実施例における第二の雌ねじ３のねじ部３ｆは、右回転の螺旋溝、即ち、右ねじとして設けられている。ここで、これら第一の雌ねじ２と第二の雌ねじ３のねじ部２ｆ，３ｆの谷径や山径或いは呼び径は互いに異なるものであってもよいが本実施例においては同じ径に設定されている。【００４０】
凹部３ｂの内周面は、軸方向に対して適宜の角度傾斜した傾斜角βに設定されて底面３ｃから開口端３ｄにかけて拡径しているが、本実施例においては特に傾斜角βは傾斜角αよりも小さくなるように設定されている。凹部３ｂの内周面には、凸部２ｂの外周面に形成された鋸歯状の係合部２ｇに対応した鋸歯状に形成された係合受部３ｇが等ピッチで十八箇所に設けられている。ここで、この係合受部３ｇの設定数量は少なくとも一つ設けられていればよく、特に限定されるものではなく、また必ずしも回転対称である必要はない。この係合受部３ｇの鋸歯形状は、凸部２ｂの嵌入時、第一の雌ねじ２との相対回転上、左回転の進行方向において回転が許容され、逆回転が防止されるように歯の方向が設定される。歯幅は、底面３ｃ側で狭く、開口端３ｄに向かって広がるように設定されている。勿論、係合受部３ｇの形状も特に限定されるものではなく、例えば、多条ねじのようにスパイラル状に形成されたものであってもよい。特に、スパイラル状の係合受部３ｇとする場合には、スパイラルの回転向きをねじ部３ｆの回転向きに対して逆向きに設定すれば、雌ねじ同士の結合性をより一層高めることが出来る。【００４１】
以上の説明のように構成される本実施例の雌ねじ構造１にあっては、凸部２ｂの傾斜角αに対して凹部３ｂの傾斜角βが小さいために、図５に示すように、凹部３ｂの先端が凸部２ｂの軸方向における中腹に当接して弾性的又は塑性的な変形を伴わない限り、凹部３ｂに対して凸部２ｂが嵌入し切らないように構成されているので、結合時には幾分か凸部２ｂを変形させながら凹部３ｂ内に圧入することになる。【００４２】
従って、凸部２ｂや凹部３ｂを弾性変形させながら嵌合させつつ、係合部２ｇと係合受部３ｇとを係合させた場合には、第一の雌ねじ２と第二の雌ねじ３とは強固な結合力によってこれらの相対的な右回転が完全に防止し得るようになる。【００４３】
ここで、これら第一の雌ねじ２と第二の雌ねじ３は、それぞれ一軸を成す雄ねじＢに螺合されて雄ねじＢ上の適宜の位置に在るが、この図６に示す雄ねじＢは、ねじ部ｂ上の同一領域上に、右回転の螺旋溝と左回転の螺旋溝を併有したものである（図示省略）。
【符号の説明】
【００４４】
１  雌ねじ構造
２  第一の雌ねじ
２ａ  外形部
２ｂ  凸部
２ｃ  基端
２ｄ  先端
２ｅ  螺旋溝付き穴
２ｆ  ねじ部
２ｇ  係合部
３  第二の雌ねじ
３ａ  外形部
３ｂ  凹部
３ｃ  底面
３ｄ  開口端
３ｅ  螺旋溝付き穴
３ｆ  ねじ部
３ｇ  係合受部
Ｂ  雄ねじ
ｂ  ねじ部
【図１】
2012102401.tif 000003
【図２】
2012102401.tif 000004
【図３】
2012102401.tif 000005
【図４】
2012102401.tif 000006
【図５】
2012102401.tif 000007
【図６】
2012102401.tif 000008
【国際調査報告】
2012102401.tif 000009
2012102401.tif 000010
2012102401.tif 000011
2012102401.tif 000012